(57)【要約】【課題】第１の色空間の座標で画像の色が表現された第１の画像データを、第２の色空間の座標で画像の色が表現された第２の画像データに変換する色変換装置、およびコンピュータを色変換装置として動作させる色変換プログラムに関し、画像の色を正しく一致させることを簡易な操作で実現する。【解決手段】色変換装置７００は、第１の画像データを第２の画像データに変換する色変換部７２０と、画像の色に階調補正を施す階調補正部７１０とを備えており、階調補正部７１０には、階調補正の有効無効を切り替えるスイッチ７１２が組み込まれている。【選択図】　　　　図４
2004015599.tif 000002
【特許請求の範囲】
【請求項１】
第１の色空間の座標で表現された第１の画像データを、第２の色空間の座標で表現された第２の画像データに変換する色変換部と、
前記第１の画像データおよび前記第２の画像データそれぞれが表す画像の色のうち少なくともいずれか一方に対し、操作によって定義された階調補正を施す、階調補正の有効無効が切替可能な階調補正部とを備えたことを特徴とする色変換装置。
【請求項２】
前記階調補正部が、前記階調補正の有効無効を指示する操作を受けて有効無効を切り替えるものであることを特徴とする請求項１記載の色変換装置。
【請求項３】
前記色変換部が、前記第１の色空間の座標と前記第２の色空間の座標との対応を定義した色変換定義に基づいて前記第１の画像データを前記第２の画像データに変換するものであり、
前記階調補正部は、前記色変換定義の作成時には前記階調補正が無効で、作成された色変換定義が用いられる時には前記階調補正が有効なものであることを特徴とする請求項１記載の色変換装置。
【請求項４】
コンピュータシステムに組み込まれてそのコンピュータシステムを、第１の色空間の座標で表現された第１の画像データを、第２の色空間の座標で表現された第２の画像データに変換する色変換装置として動作させる色変換プログラムであって、
前記第１の画像データを前記第２の画像データに変換する色変換部と、
前記第１の画像データおよび前記第２の画像データそれぞれが表す画像の色のうち少なくともいずれか一方に対し、操作によって定義された階調補正を施す、階調補正の有効無効が切替可能な階調補正部とを備えたことを特徴とする色変換プログラム。
【発明の詳細な説明】
【０００１】
【発明の属する技術分野】
本発明は、第１の色空間の座標で画像の色が表現された第１の画像データを、第２の色空間の座標で画像の色が表現された第２の画像データに変換する色変換装置、およびコンピュータを色変換装置として動作させる色変換プログラムに関する。
【０００２】
【従来の技術】
従来より、印刷機を用いたカラー画像の印刷を行なうにあたっては、印刷を行なう前に、カラープリンタ等を用いて、その印刷機で印刷される画像の色と極力同じ色に似せたプルーフ画像を作成することが行なわれている。プリンタでプルーフ画像を作成するにあたっては、印刷を行なおうとしている印刷機に対応した、画像データと実際の印刷物の色との関係を記述した色再現特性（印刷プロファイル）と、プリンタに対応した、画像データと実際にプリント出力される画像の色との関係を記述した色再現特性（プリンタプロファイル）とを知り、これらの印刷プロファイルとプリンタプロファイルとの結合からなる色変換定義を作成し、この色変換定義に基づいて印刷用の画像データをプリンタ用の画像データに変換し、この変換されたプリンタ用の画像データに基づいてプルーフ画像を作成する。こうすることにより、実際の印刷物と色の一致したプルーフ画像を作成することができる。
【０００３】
上記のようにして色を一致させた画像を得るためには、印刷機やプリンタ等の出力デバイスの色再現特性（プロファイル）を正確に求める必要がある。この色再現特性（プロファイル）を求めるに当たっては、カラーパッチが配列されたカラーチャートに相当する画像データを作成し、その画像データに基づいて出力デバイスでカラーチャートを出力し、そのカラーチャートを分光測色計などで測色し、そのようにして得た測色色空間の座標と、その画像データが表現される色空間（デバイス色空間）の座標とを対応づけることにより、その出力デバイスのプロファイルが求められる。
【０００４】
【発明が解決しようとする課題】
ところが、そのようにして印刷機やプリンタ等の出力デバイスの色再現特性（プロファイル）を慎重に求め、それらの色再現特性（プロファイル）の結合からなる色変換定義に基づいて画像データを変換しても、さまざまな誤差や変動要因により、印刷物とプルーフ画像との間の色が微妙に食い違うという現象がしばしば生じる。このため、このように微妙に食い違っている色を正しく一致させる為にそれらのプロファイルや色変換定義を修正することが提案されている。
【０００５】
しかし、プルーフ画像が作成されるプリンタが１台だけであっても、そのプルーフ画像によって画像の色が再現される印刷機としては複数の印刷機を対象としていることが多く、その場合には印刷プロファイルや色変換定義も複数存在し、複数の印刷プロファイルや色変換定義のそれぞれを修正するのは煩雑であるという問題がある。
【０００６】
このような問題は、印刷機やプリンタ等の出力デバイスどうしの間だけで生じるものではなく、カラースキャナなどの入力デバイスどうしの間や、入力デバイスと出力デバイスとの間でも、画像の色を正しく一致させる場合に生じる問題である。
【０００７】
本発明は、上記事情に鑑み、画像の色を正しく一致させることを簡易な操作で実現することができる色変換装置、およびコンピュータをそのような色変換装置として動作させる色変換プログラムを提供することを目的とする。
【０００８】
【課題を解決するための手段】
上記目的を達成する本発明の色変換装置は、第１の色空間の座標で表現された第１の画像データを、第２の色空間の座標で表現された第２の画像データに変換する色変換部と、
上記第１の画像データおよび上記第２の画像データそれぞれが表す画像の色のうち少なくともいずれか一方に対し、操作によって定義された階調補正を施す、階調補正の有効無効が切替可能な階調補正部とを備えたことを特徴とする。
【０００９】
画像の色が微妙に食い違う原因となる誤差や変動要因には、例えば、色変換定義を作成する際に用いられる補間計算に起因した補間誤差のように、入力デバイスや出力デバイスに依存しないものが存在する。また、色変換装置が所定の１つのプリンタ等を対象としたもので、そのプリンタ等の経時変化などに起因した変動要因も存在する。このため、実際の色変換装置では、複数のプロファイルや色変換定義に共通の修正を施すことにより画像の色を正しく一致させることができる場合が多い。また、その場合の修正としては、簡便な操作で十分に正確な修正を実現することができるという点で、階調補正による修正が望ましい。
【００１０】
そこで、本発明では、画像の色に階調補正を施す階調補正部を、色変換部とは独立に設けている。
【００１１】
但し、プロファイルや色変換定義が作成されるときには、通常は色変換部を除いた他の種々の処理部が全て有効な状態で、それらによる処理を盛り込んだ状態のプロファイルや色変換定義が作成されるが、上記階調補正部が有効なままでプロファイルや色変換定義が作成されると、画像の色を正しく一致させるための修正がキャンセルされてしまうこととなる。そこで、本発明における上記階調補正部は、階調補正の有効無効が切替可能なものとして構成されている。これにより、上述したように修正がキャンセルされてしまうことを回避することができる。
【００１２】
本発明の色変換装置は、
「上記階調補正部が、上記階調補正の有効無効を指示する操作を受けて有効無効を切り替えるものである」
というものであってもよく、あるいは、
「上記色変換部が、第１の色空間の座標と第２の色空間の座標との対応を定義した色変換定義に基づいて第１の画像データを第２の画像データに変換するものであり、
上記階調補正部は、色変換定義の作成時には階調補正を無効化し、作成された色変換定義が用いられる時には階調補正を有効化するものである」
というものであってもよい。
【００１３】
階調補正の有効無効を直接指示する操作を受ける場合には、オペレータが階調補正の有効無効を意識的にコントロールすることができる。また、階調補正部が、階調補正の有効無効を自動的に切り替える場合には、オペレータは切替を意識することなく簡便な操作で色変換装置を利用することができる。
【００１４】
上記目的を達成する本発明の色変換プログラムは、コンピュータシステムに組み込まれてそのコンピュータシステムを、第１の色空間の座標で表現された第１の画像データを、第２の色空間の座標で表現された第２の画像データに変換する色変換装置として動作させる色変換プログラムであって、
上記第１の画像データを上記第２の画像データに変換する色変換部と、
上記第１の画像データおよび上記第２の画像データそれぞれが表す画像の色のうち少なくともいずれか一方に対し、操作によって定義された階調補正を施す、階調補正の有効無効が切替可能な階調補正部とを備えたことを特徴とする。
【００１５】
なお、本発明にいう色変換プログラムについては、ここではその基本形態のみを示すのにとどめるが、これは単に重複を避けるためであり、本発明にいう色変換プログラムには、上記の基本形態の色変換プログラムのみではなく、前述した色変換装置の各形態に対応する各種の形態の色変換プログラムが含まれる。
【００１６】
また、上記本発明の色変換装置と、上記色変換プログラムとでは、それらを構成する構成要素名として、色変換部などといった互いに同一の名称を付しているが、色変換プログラムの場合は、そのような作用をなすソフトウェアを指し、色変換装置の場合は、ハードウェアを含んだものを指している。
【００１７】
また、本発明の色変換プログラムが組み込まれるコンピュータシステムは、１台のコンピュータと周辺機器からなるものであってもよく、あるいは複数台のコンピュータを含むものであってもよい。
【００１８】
さらに、本発明の色変換プログラムを構成する色変換部などといった構成要素は、１つの構成要素の機能が１つのプログラム部品によって担われるものであってもよく、１つの構成要素の機能が複数のプログラム部品によって担われるものであってもよく、複数の構成要素の機能が１つのプログラム部品によって担われるものであってもよい。また、これらの構成要素は、そのような作用を自分自身で実行するものであってもよく、あるいは、コンピュータに組み込まれている他のプログラムやプログラム部品に指示を与えて実行させるものであっても良い。
【００１９】
【発明の実施の形態】
以下、本発明の実施形態について説明する。
【００２０】
図１は、印刷システムと、本発明の一実施形態が組み込まれるプルーファとを示す図である。
【００２１】
この図１には、コンピュータ１００およびプリンタ２００からなるコンピュータシステムによって構成されるプルーファ１０００と、コンピュータ４００、ＣＴＰ５００、および図示を省略した印刷機からなる印刷システム２０００が示されている。プルーファ１０００には、本発明の色変換装置の一実施形態が組み込まれる。
【００２２】
この図に示す２台のコンピュータ１００，４００は通信網３００を介して互いに接続されており、この通信網３００は、これらのコンピュータ１００，４００以外の図示しない外部のコンピュータとも接続されている。
【００２３】
この図１に示す印刷システム２０００のコンピュータ４００には、例えばポストスクリプト言語等によって記述されたページ記述データが上記外部のコンピュータから通信網３００を介して入力される。このページ記述データは、このように通信網３００を介する以外に、ＣＤ−Ｒ（Ｃｏｍｐａｃｔ　Ｄｉｓｃ　Ｒｅｃｏｒｄａｂｌｅ）やＭＯ（光磁気ディスク）等の記憶媒体によって入力されてもよい。このコンピュータ４００には、ページ記述データを、Ｃ、Ｍ、Ｙ、Ｋそれぞれの網点画像を表す網点画像データに変換するＲＩＰ（Ｒａｓｔｅｒ　Ｉｍａｇｅ　Ｐｒｏｃｅｓｓｏｒ）が備えられており、入力されたページ記述データが印刷用の網点画像データに変換される。
【００２４】
コンピュータ４００によって生成された印刷用の網点画像データは上記ＣＴＰ５００に渡され、このＣＴＰ５００により、このように渡された網点画像データによって表される画像を直接焼き付けた刷版が作成される。このＣＴＰ５００によって作成された刷版は、上記印刷機が例えばドラムを有するものである場合、そのドラムに巻き付けられ、この印刷機によりそのドラム上の刷版にインクがのせられて網点画像の連続印刷が行われる。なお、刷版は、上記網点画像データによって表される画像がいわゆるフィルムセッタによってフィルム上に形成され、形成されたフィルムを元にして作成されたものであってもよい。
【００２５】
このように、印刷システム２０００による一連の印刷の作業は大がかりなものとなり、コストもかかる。このため、印刷オペレータは、実際の印刷作業を行う前に、上記プルーファ１０００により以下のようにして作成されるプルーフ画像を用いて、上記印刷システム２０００によって印刷される画像の仕上がりの事前確認を行っている。
【００２６】
プルーファ１０００のコンピュータ１００には、上記コンピュータ４００と同様に、上記通信網３００を介して、あるいはＣＤ−Ｒ、ＭＯなどの記憶媒体を介して、上記コンピュータ４００に入力されたものと同じページ記述データが入力される。このコンピュータ１００によって、入力されたページ記述データがプルーフ用の網点画像データに変換される。変換されたプルーフ用の網点画像データは、プリンタ２００へ出力される。プリンタ２００は、このプルーフ用の網点画像データを受け取り、この網点画像データに基づいて記録用紙にプルーフ画像をプリント出力する。
【００２７】
図１に示すプルーファ１０００における本発明の一実施形態としての特徴は、コンピュータ１００の内部で実行される処理内容にあり、以下、このコンピュータ１００について詳しく説明する。なお、印刷システム２０００で用いられたコンピュータ４００も、ハードウェア的には、プルーファ１０００で用いられたコンピュータ１００と同じ構成を有する。
【００２８】
この図１に示すコンピュータ１００は、ＣＰＵ、主記憶装置、ハードディスク、通信用ボード等が内蔵された本体１０１、この本体１０１からの指示により表示画面１０２ａ上に画面や文字列の表示を行うＣＲＴディスプレイ１０２、このコンピュータ１００にユーザの指示や文字情報を入力するためのキーボード１０３、上記表示画面１０２ａ上の任意の位置を指定することにより、その指定時にその位置に表示されていたアイコン等に応じた指示を入力するマウス１０４を備えている。
【００２９】
本体１０１には、ＣＤ−ＲＯＭ１０５やＣＤ−Ｒが取り出し自在に装填され、そのように装填されたＣＤ−ＲＯＭ１０５やＣＤ−Ｒに記憶された情報を再生するＣＤ−ＲＯＭドライブが内蔵されている。また、本体１０１には、光磁気ディスク（ＭＯ）１０６（図１には図示せず；図２参照）が取り出し自在に装填され、そのように装填されたＭＯ１０６に対し情報の記録再生を行うＭＯドライブも内蔵されている。
【００３０】
図２は、コンピュータのハードウェア構成図である。
【００３１】
このハードウェア構成図には、ＣＰＵ（中央演算処理装置）１１１、ＲＡＭ１１２、ＨＤＤ（ハードディスクドライブ）１１３、ＭＯドライブ１１４、ＣＤ−ＲＯＭドライブ１１５、および通信用ボード１１６が示されており、それらはバス１１０で相互に接続されている。
【００３２】
ＨＤＤ１１３は、記録媒体の一種であるハードディスク１２０を内蔵しており、このハードディスク１２０に対し情報の記録再生を行う。
【００３３】
通信用ボード１１６は、ＬＡＮ（Ｌｏｃａｌ　Ａｒｅａ　Ｎｅｔｗｏｒｋ）等といった通信回線に接続される。図１に示すコンピュータ１００は、この通信用ボード１１６を介して接続される通信網３００によって他のコンピュータとの間でデータの送受信を行うことができる。
【００３４】
また、図２には、図示しない複数のＩ／Ｏインターフェースそれぞれを介してバス１１０に接続された、マウス１０４、キーボード１０３、ＣＲＴディスプレイ１０２、およびプリンタ２００が示されている。
【００３５】
ここでは、ＣＤ−ＲＯＭ１０５に、本発明の色変換プログラムの一実施形態が記憶されており、このＣＤ−ＲＯＭ１０５は本体１０１内に装填され、そのＣＤ−ＲＯＭ１０５に記憶された色変換プログラムがＣＤ−ＲＯＭドライブ１１５によって読み込まれ、バス１１０を経由してハードディスク１２０内にインストールされる。
【００３６】
このハードディスク１２０内にインストールされた色変換プログラムが起動されると、このハードディスク１２０内の色変換プログラムはＲＡＭ１１２にロードされ、ＣＰＵ１１１により実行される。本発明の色変換プログラムの一実施形態が起動されて実行されると、コンピュータ１００は、本発明の色変換装置の一実施形態として動作する。つまり、コンピュータ１００と、本発明の色変換プログラムの一実施形態とが結合することにより、本発明の色変換装置の一実施形態を構成している。
【００３７】
図１では、色変換プログラムを記憶する記憶媒体としてＣＤ−ＲＯＭ１０５が例示されているが、本発明の色変換プログラムを記憶する記憶媒体はＣＤ−ＲＯＭに限られるものではなく、それ以外の光ディスク、ＭＯ、フロッピー（登録商標）ディスク、磁気テープなどの記憶媒体であってもよい。
【００３８】
図３は、本発明の色変換プログラムの一実施形態を示す図である。
【００３９】
上述したように、ここでは、色変換プログラム６００はＣＤ−ＲＯＭ１０５に記憶されている。
【００４０】
この色変換プログラム６００は、図１に示すコンピュータ１００内で実行され、そのコンピュータ１００を、第１の色空間の座標で画像の色が表現された第１の画像データを、第２の色空間の座標で画像の色が表現された第２の画像データに変換する色変換装置として動作させるものである。この色変換装置としての動作は、上述したようにページ記述データが入力されたコンピュータ１００がそのページ記述データをプルーフ用の網点画像データに変換する際に実行する各種動作のうちの１つとして実行される。
【００４１】
この色変換プログラム６００には、階調補正部６１０と色変換部６２０が備えられており、本実施形態ではハーフトーニング部６３０も備えられている。
【００４２】
この色変換プログラム６００の各要素の作用については後述する。
【００４３】
図４は、本発明の色変換装置の一実施形態の機能ブロック図である。
【００４４】
この色変換装置７００は、図３の色変換プログラム６００が、図１に示すコンピュータ１００にインストールされて実行されることにより構成されるものである。
【００４５】
この色変換装置７００は階調補正部７１０と色変換部７２０とハーフトーニング部７３０とから構成されている。階調補正部７１０と色変換部７２０とハーフトーニング部７３０は、図３に示す色変換プログラム６００を構成する、階調補正部６１０と色変換部６２０とハーフトーニング部６３０にそれぞれ対応するが、この図４に示す各要素は、図１，図２に示すコンピュータ１００のハードウェアとそのコンピュータで実行されるＯＳやソフトウェア部品との組合せで構成されているのに対し、図３に示す色変換プログラム６００の各要素はソフトウェア部品のみにより構成されている点が異なる。
【００４６】
以下、図４に示す色変換装置７００の各要素の作用を説明することによって、図３に示す色変換プログラム６００の各要素も合わせて説明する。
【００４７】
階調補正部７１０は、本発明にいう階調補正部の一例に相当するものであり、Ｃ、Ｍ、Ｙ、Ｋそれぞれの網％で画像の色が表現された画像データを入力されて、その画像データが表す画像の色に対して、階調補正テーブル７１１で定義された階調補正を施すものである。この階調補正テーブル７１１は、後述するように、オペレータの操作によって作成されるものである。また、階調補正部７１０には、階調補正テーブル７１１による階調補正の有効無効を切り替えるスイッチ７１２が備えられている。本実施形態では、このスイッチ７１２を切り替えるためのＧＵＩ（Ｇｒａｐｈｉｃａｌ　Ｕｓｅｒ　Ｉｎｔｅｒｆａｃｅ）をオペレータが呼び出し、そのＧＵＩを使ってオペレータが、階調補正の有効無効を直接指示する操作を行うことによりスイッチ７１２が切り替わる。
【００４８】
図５は、階調補正部のスイッチを切り替えるためのＧＵＩを示す図である。
【００４９】
本実施形態では、一例として、オプション設定ＧＵＩ８１０によって階調補正部のスイッチが切り替えられるものとする。このオプション設定ＧＵＩ８１０は、オペレータによる所定の操作によって、図１に示すＣＲＴディスプレイ１０２上に呼び出される。
【００５０】
このオプション設定ＧＵＩ８１０には、階調補正モードのオンオフを指定するチェックボックス８１１が備えられており、このチェックボックス８１１がクリックされてチェックマークが付くと、図４に示すスイッチ７１２は、階調補正テーブル７１１を経由する側に設定され、チェックマークが外されると、スイッチ７１２は、階調補正テーブル７１１を回避する側に設定される。
【００５１】
オプション設定ＧＵＩ８１０には、その他のオプション設定を行うためのチェックボックス８１２も設けられており、適宜にオペレータによって操作される。
【００５２】
図４に戻って説明を続ける。
【００５３】
色変換部７２０は、階調補正部７１０から出力された画像データについて、印刷プロファイルとプリンタプロファイルとに基づいたデータ変換（色変換）を施すものである。印刷プロファイルについては、図１に示す印刷システム２０００やその他の印刷システムそれぞれに対応した複数の印刷プロファイルが用意されて組み込まれているものとする。また、プリンタプロファイルについては、図１に示すプリンタ２００に対応した１つプリンタプロファイルが後述するように作成されて組み込まれるものとする。
【００５４】
ハーフトーニング部７３０は、色変換部７２０によってデータ変換（色変換）が施された画像データが表す画像を、Ｃ、Ｍ、Ｙ、Ｋの網点画像に変換して図１に示すプリンタに出力するものである。
【００５５】
この色変換装置７００が用いられてプリンタプロファイルが作成され登録される際の手順について以下説明する。
【００５６】
先ず、プリンタプロファイルを作成する作成ステップが実行される。
【００５７】
この作成ステップでは、図１に示す通信網３００を介して入力される上記ページ記述データとして、所定の複数個のカラーパッチからなるカラーチャートを表すチャートデータがコンピュータ１００に入力され、ページ記述データに施される所定の処置を経て色変換装置７００に入力される。このチャートデータは、階調補正部７１０、色変換部７２０、ハーフトーニング部７３０を順次に経てプリンタに出力され、プリンタではチャートが表すカラーチャートがプリントされる。このとき、階調補正部７１０は、図５に示すオプション設定ＧＵＩ８１０の操作によって階調補正が無効に設定されている。また、色変換部７２０にはプリンタプロファイルがまだ組み込まれていないので素通しとなる。このようにカラーチャートがプリントされると、カラーチャートを表す画像データにおける、各カラーパッチの色に対応する網％値と、プリントされたカラーチャートを構成する各カラーパッチの実際の色とが対応付けられてプリンタプロファイルが作成される。
【００５８】
このように作成ステップで作成されるプリンタプロファイルには、コンピュータ１００においてページ記述データが入力されてからプリンタへと出力されるまでに実施される処置のうち、階調補正部７１０および色変換部７２０による処置を除いたあらゆる処置が反映されている。
【００５９】
次に、プリンタプロファイルを用いたプルーフ画像作成の精度を高めるために、画像の色の階調を調整する階調調整ステップが実行される。
【００６０】
この階調調整ステップでは、階調調整用のＧＵＩがオペレータによって呼び出されて操作され、図４に示す階調補正テーブル７１１が設定される。
【００６１】
図６は、階調調整用のＧＵＩを示す図である。
【００６２】
この階調調整用のＧＵＩ８２０では、Ｃ、Ｍ、Ｙ、Ｋの各色における階調が調整される。このため、階調調整の対象となる色を選択するためのラジオボタン８２１が設けられている。また、この階調調整用のＧＵＩ８２０には、ラジオボタン８２１で選択された色についての階調調整量を表すグラフ８２２が設けられている。このグラフの横軸は、図４に示す階調補正部７１０に入力される画像データにおける網％値を示しており、縦軸は、その網％値に対する補正量を示している。このグラフ８２２上で、任意の点８２３がドラッグされて上下に移動されることにより階調補正量を表すグラフ曲線が調整される。なお、階調の不連続が生じることを避けるため、グラフ８２２上での調整操作に応じて連続なグラフ曲線を自動生成する公知の機能が組み込まれている。
【００６３】
このように、階調補正量が調整されると、その調整量を表した階調補正テーブルが作成されて図４に示す階調補正部７１０に設定される。
【００６４】
最後に、上記作成ステップで作成されたプリンタプロファイルを登録する登録ステップが実行され、図５に示すオプション設定ＧＵＩ８１０の操作によって階調補正が有効に設定されて、色変換装置７００の準備が整う。
【００６５】
このように準備が整った色変換装置７００によって画像データがデータ変換されることにより、階調補正を経た高精度なデータ変換が行われ、印刷物の画像の色と正しく色が一致した高精度なプルーフ画像が得られることとなる。また、プリンタの経時変化による精度劣化などが生じた場合であっても、上述した階調調整ステップにおける簡易な操作によって精度回復が図られるので、プリンタプロファイルの作り直しや、複数の印刷プロファイルそれぞれに対する修正などといった煩雑な作業は不要である。
【００６６】
ところで、上記実施形態では、階調補正の有効無効を直接指示する操作が行われることによって、図４に示す階調補正部７１０のスイッチ７１２が切り替わる例が示されているが、例えば作業のステップが指示され、その指示されたステップに応じて裏側でスイッチが連動して切り替わる形態も考えられる。以下では、ステップの指示に連動してスイッチが切り替わる形態について説明する。
【００６７】
図７は、プリンタプロファイルが作成され登録される作業のステップを指示するための作業指示ＧＵＩを示す図である。
【００６８】
この図７に示す作業指示ＧＵＩ８３０には、上述した作成ステップ、階調調整ステップ、登録ステップそれぞれを指定する作成ステップ指定ボタン８３１、階調調整ステップ指定ボタン８３２、登録ステップ指定ボタン８３３が設けられている。この用に設けられたボタンのうち、作成ステップ指定ボタン８３１がクリックされると、上述した作成ステップが開始されるのに連動して、図４に示す階調補正部７１０のスイッチ７１２が、階調補正テーブルを回避する側に切り替わる。また、階調調整ステップ指定ボタン８３２がクリックされると図６に示す階調調整用のＧＵＩ８２０が呼び出されて階調調整ステップが実行される。さらに、登録ステップ指定ボタン８３３がクリックされると、登録ステップが実行されるのと連動して、図４に示す階調補正部７１０のスイッチ７１２が、階調補正テーブルを経由する側に切り替わる。
【００６９】
このように、ステップの指示に連動してスイッチが切り替わる形態では、オペレータは、階調補正の有効無効を意識することが不要であり、一連の作業を簡易な操作で実行することができる。
【００７０】
なお、上述した各実施形態では、色変換部７２０によるデータ変換の前に階調補正部７１０による階調補正が施されるが、本発明の色変換装置は、色変換部によるデータ変換の後に階調補正部による階調補正が施されるものであってもよい。
【００７１】
【発明の効果】
以上説明したように、本発明によれば、画像の色を正しく一致させることを簡易な操作で実現することができる。
【図面の簡単な説明】
【図１】印刷システムと、本発明の一実施形態が組み込まれるプルーファとを示す図である。
【図２】コンピュータのハードウェア構成図である。
【図３】本発明の色変換プログラムの一実施形態を示す図である。
【図４】本発明の色変換装置の一実施形態の機能ブロック図である。
【図５】階調補正部のスイッチを切り替えるためのＧＵＩを示す図である。
【図６】階調調整用のＧＵＩを示す図である。
【図７】プリンタプロファイルが作成され登録される作業のステップを指示するための作業指示ＧＵＩを示す図である。
【符号の説明】
１００　　コンピュータ
１０５　　ＣＤ−ＲＯＭ
１０６　　光磁気ディスク（ＭＯ）
２００　　プリンタ
３００　　通信網
４００　　コンピュータ
５００　　ＣＴＰ
６００　　色変換プログラム
６１０　　階調補正部
６２０　　色変換部
６３０　　ハーフトーニング部
７１０　　階調補正部
７２０　　色変換部
７３０　　ハーフトーニング部
８１０　　オプション設定ＧＵＩ
８２０　　階調調整用のＧＵＩ
８３０　　作業指示ＧＵＩ
１０００　　プルーファ
２０００　　印刷システム
【図１】
2004015599.tif 000003
【図２】
2004015599.tif 000004
【図３】
2004015599.tif 000005
【図４】
2004015599.tif 000006
【図５】
2004015599.tif 000007
【図６】
2004015599.tif 000008
【図７】
2004015599.tif 000009